(57)【要約】【課題】光学ピックアップ装置においてアクチュエータを覆うカバーがガタツキを防止する。【解決手段】アクチュエータ３を覆うカバー４を、対物レンズ２の対向部に開口部を備えたカバー本体部５１とカバー本体部５１の側部に設けられた複数の脚部５２〜５４とで構成する。脚部５２〜５４は、カバー本体部５１でアクチュエータ３を覆った状態でアクチュエータ側のカバー係合部４８ａ〜４８ｄに係合する被係合部５６ａ〜５６ｄを備えている。カバー本体部５１は、アクチュエータ３を構成するマグネット４４，４５の上面を押圧する付勢部５７，５８を備えている。カバー４を取付けると、カバー本体部５１に設けた付勢部５７，５８がマグネット４４，４５の上面を押圧し、その反力でカバー４を押し上げて、被係合部５６ａ〜５６ｄをカバー係合部４８ａ〜４８ｄの端部に強制的に接触させる。【選択図】　図１
2004063031.tif 000002
【特許請求の範囲】
【請求項１】
光源から出射されたレーザ光を集光して光学ディスクの信号記録面に照射する対物レンズと、
前記対物レンズのフォーカシング制御及びトラッキング制御を行なうアクチュエータと、
前記アクチュエータを覆うカバーと、
を備えた光学ピックアップ装置において、
前記カバーは、前記対物レンズの対向部に開口部を備えたカバー本体部と、前記カバー本体部の側部に設けられた複数の脚部と、を備え、
前記脚部は、前記カバー本体部で前記アクチュエータを覆った状態で前記アクチュエータ側に設けたカバー係合部に係合する被係合部を備え、
前記カバー本体部は、カバーを取付けた状態において前記アクチュエータの上面を押圧する付勢部を備えている
ことを特徴とする光学ピックアップ装置。
【請求項２】
前記付勢部は、前記カバー本体部の一部を切り起こすことにより形成されている
ことを特徴とする請求項１に記載の光学ピックアップ装置。
【請求項３】
前記付勢部は、前記アクチュエータを構成するマグネットの表面を押圧している
ことを特徴とする請求項１に記載の光学ピックアップ装置。
【請求項４】
前記アクチュエータを構成するマグネットは、前記アクチュエータを設けたベース部上に直付けされ、且つその上面を前記付勢部により前記ベース部側に押し付けられている
ことを特徴とする請求項３に記載の光学ピックアップ装置。
【請求項５】
光源がら出射されたレーザ光を集光して光学ディスクの信号記録面に照射する対物レンズ、該対物レンズのフォーカシング制御及びトラッキング制御を行なうアクチュエータ、該アクチュエータを覆うカバーを備えた光学ピックアップ装置と、
前記光学ピックアップ装置を前記光学ディスクの半径方向に移動させる駆動機構と、
光学ディスクを回転駆動させるディスク回転駆動機構と、を備え、
前記カバーは、前記対物レンズの対向部に開口部を備えたカバー本体部と、前記カバー本体部の側部に設けられた複数の脚部と、を備え、
前記脚部は、前記カバー本体部で前記アクチュエータを覆った状態で前記アクチュエータ側に設けたカバー係合部に係合する被係合部を備え、
前記カバー本体部は、カバーを取付けた状態において前記アクチュエータを構成するマグネットの上面を押圧する付勢部を備えている
ことを特徴とする光情報記録及び／又は再生装置。
【発明の詳細な説明】
【０００１】
【発明の属する技術分野】
本発明は、光ディスクや光磁気ディスク等の光学ディスクに対して情報信号の記録（書込み）及び／又は再生（読出し）を行う光学ピックアップ装置と、該光学ピックアップ装置を搭載した光情報記録及び／又は再生装置に関するものである。
【０００２】
【従来の技術】
光学ピックアップ装置及び光学ピックアップ装置を搭載して光学ディスクに対して情報信号の記録及び／又は再生を行う光情報記録及び／又は再生装置として、図１４、図１５に示すものが知られている。
【０００３】
前記光学ピックアップ装置１０１は、光源から出射されたレーザ光を集光して光学ディスクの信号記録面に照射する対物レンズ１０２と、前記対物レンズ１０２のフォーカシング制御及びトラッキング制御を行なうアクチュエータ１０３と、前記アクチュエータ１０３を覆うカバー１０４と、光学ユニット（図示省略）と、を備えている。
【０００４】
そして、前記光学ユニットのレーザーから出射したレーザ光を対物レンズ１０２を通して前記光学ディスクの信号記録面に照射し、反射されて戻ってきたレーザ光を前記光学ユニットの検出器内に入射してフォーカス誤差信号、トラッキング誤差信号、情報信号の検出を行なうようになっている。
【０００５】
前記カバー１０４は、前記アクチュエータ１０３を覆うことにより、これを塵埃等から保護するものである。
【０００６】
前記カバー１０４は、前記の対物レンズ１０２に対向する位置に開口部１０５を備えたカバー本体部１０６と、前記カバー本体部１０６の周縁部に設けられた筒状の側壁部１０７と、で構成されている。
【０００７】
図１５に示すように、前記カバー１０４は、前記筒状の側壁部１０７を前記アクチュエータ１０３の外周側に嵌合し、前記筒状の側壁部１０７の内周面に設けた係合部１１１を、前記アクチュエータ１０３側に設けた被係合部１１２に係合させることにより取付けられている。
【０００８】
また、図１４に示すように、光情報記録及び／又は再生装置２０１は、前記光学ピックアップ装置１０１と、前記光学ディスクを回転駆動するディスク回転駆動装置２０２と、前記光学ピックアップ装置１０１を前記光学ディスクの半径方向に移動させる駆動機構２０３と、を備えている。
【０００９】
【発明が解決しようとする課題】
ところで、前記従来の光学ピックアップ装置１０１及び該光学ピックアップ装置１０１を備えた光情報記録及び／又は再生装置２０１においては、前述したように、前記カバー１０４は、前記対物レンズ１０２に対向する部分に開口部１０５を備えたカバー本体部１０６と、カバー本体部１０６の周縁部に設けられた筒状の側壁部１０７と、で構成されていて、前記筒状の側壁部１０７を、前記アクチュエータ１０３の外周側に嵌合し、前記筒状の側壁部１０７の内周面に設けた係合部１１１を、前記アクチュエータ１０３側に設けた被係合部１１２に係合させることにより、前記カバー１０４を着脱自在に取付ける構成になっていたために、次に述べるような問題点があった。
（１）図１７に示すように、前記筒状の側壁部１０７の内径Ｄ１が、前記被係合部１１２の外径Ｄ２よりも小さいと、前記筒状の側壁部１０７を前記被係合部１１２に嵌合できない。逆に、前記筒状の側壁部１０７の内径Ｄ１が、前記被係合部１１２の外径Ｄ２よりも大きすぎると、前記筒状の側壁部１０７の内周面に設けた係合部１１１を、前記被係合部１１２に係合させることが不可能になる。
（２）前記筒状の側壁部１０７の内周面に設けた係合部１１１と前記被係合部１１２との間には、図１６に示すように、不可避的に隙間Ｇが発生する（前記隙間Ｇは、前記係合部１１１や被係合部１１２の位置精度誤差を吸収して、係合部１１１を被係合部１１２に係合させるために必要不可欠なものである）ために、カバー１０４がガタついてしまう。
【００１０】
本発明は前記従来の問題点を解決し、カバーがガタつきをなくし、カバーをアクチュエータ側に確実、容易に取付けることのできる光学ピックアップ装置及び光情報記録及び／又は再生装置を提供することを目的としてなされたものである。
【００１１】
【課題を解決するための手段】
本発明は、光源から出射されたレーザ光を集光して光学ディスクの信号記録面に照射する対物レンズと、前記対物レンズのフォーカシング制御及びトラッキング制御を行なうアクチュエータと、前記アクチュエータを覆うカバーと、を備えた光学ピックアップ装置及び該光学ピックアップ装置を搭載した光情報記録及び／又は再生装置において、
前記カバーを、前記対物レンズの対向部に開口部を備えたカバー本体部と、前記カバー本体部の側部に設けられた複数の脚部と、で構成し、
前記脚部に、前記カバー本体部で前記アクチュエータを覆った状態で前記アクチュエータ側に設けたカバー係合部に係合する被係合部を設け、
前記カバー本体部に、カバーを取付けた状態において前記アクチュエータを構成するマグネット等の上面を押圧する付勢部を設けることにより、
前記カバーをアクチュエータに取付けると、前記カバー本体部に設けた付勢部が前記マグネット等の上面を押圧し、その反力で前記カバーを押し上げて、前記被係合部を前記カバー係合部の端部に強制的に接触させてカバーがガタつくのを防止した。
【００１２】
【発明の実施の形態】
以下、本発明の光学ピックアップ装置及び該光学ピックアップ装置を搭載した光情報記録及び／又は再生装置を図面を参照して説明する。
【００１３】
図１、図２に示すように、光学ピックアップ装置１は、光源から出射されたレーザ光を集光して光学ディスクの信号記録面に照射する対物レンズ２と、前記対物レンズ２のフォーカシング制御及びトラッキング制御を行なうアクチュエータ３と、前記アクチュエータ３を覆うカバー４と、を備えている。
【００１４】
図３、図４に示すように、前記対物レンズ２は、レンズ本体部２１と、該レンズ本体部２１の外周部に設けられた枠部２２と、該枠部２２に設けられた一対の熱かしめ結合用のボス部２３，２４を備えている。前記対物レンズ２は、前記一対の熱かしめ結合用のボス部２３，２４を利用することにより後に説明するようにレンズホルダーとしてのボビンに熱かしめ結合される。
前記対物レンズ２１は、ポリオレフィン系等の合成樹脂によって一体的に形成されている。
【００１５】
図１に示すように、前記アクチュエータ３は、前記レンズホルダー（可動部）としてのボビン３１と、該ボビン３１の左右両側部に一端が取付けられていて前記対物レンズ２をフォーカス制御方向及びトラッキング制御方向に移動可能に支持している左右各一対の線状の支持部材３２と、これら支持部材３２の他端を支持している固定部３３と、を備えている。
【００１６】
図５〜図７に示すように、前記ボビン３１は、略六角形の枠状に形成されていて中央部にレンズ本体部挿入孔３４を有し、該レンズ本体部挿入孔３４の両側部に一対のボス部挿入孔３５，３６を有している。
【００１７】
図８、図９に示すように、前記ボビン３１は、前記レンズ本体部挿入孔３４に前記対物レンズ２のレンズ本体部２１を挿入し、前記ボス部挿入孔３５，３６に前記対物レンズ２のかしめ結合用のボス部２３，２４を挿入して、これらボス部２３，２４の先端を熱かしめ結合することにより前記対物レンズ２を取付け支持するようになっている。２３ａ、２４ａは、熱かしめにより形成された拡径部である。
【００１８】
また、図５〜図７に示すように、前記ボビン３１は、その外周側の４個所にトラッキング制御コイル巻付部３７…３７を備えていると共に、これらトラッキング制御コイル巻付部３７…３７の外側にフォーカスコイル巻付部３８…３８を備えている。
【００１９】
そして、図１０に示すように、前記４個所のトラッキング制御コイル巻付部３７…３７にそれぞれトラッキング制御コイル３９を巻き付けると共に、これら４個所のトラッキング制御コイル巻付部３７…３７に巻き付けられたトラッキング制御コイル３９の周囲を囲むようにして前記フォーカスコイル巻付部３８…３８にフォーカス制御コイル４０がリング状に巻き付けられている。
【００２０】
前記フォーカス制御コイル４０の外側には一対の端子基板４１が配置されていて、これら端子板４１に、それぞれ前記各一対の線状の支持部材３２の一端が接続されている。
【００２１】
前記線状の支持部材３２は、リン青銅、ベリリウム銅等のバネ性と導電性を有する金属線によって形成されている。
【００２２】
前記端子板４１に一端を取付けられた線状の支持部材３２は、前記対物レンズ２の光軸と直交する方向に延びて他端が固定部３３に取付けられている。
【００２３】
前記固定部３３は、一側部にプリント基板４２を備えていて、該プリント基板４２に前記線状の支持部材３２の他端がハンダ付け等によって接続されている。
【００２４】
前記固定部３３は、合成樹脂製のベース部４３上に配置されている。前記ベース部４３上には、前記フォーカス制御コイル４０及びトラッキング制御コイル３９を巻き付けたボビン３１を挟むようにして一対のマグネット４４，４５が接着剤等により直付けされている。
【００２５】
また、前記ベース部４３上には、前記ボビン３１を囲むように第１，第２の側壁部４６，４７が設けられている。図１に示すように、前記第１の側壁部４６は、次に詳しく説明するカバー４を係合するための第１，第２のカバー係合部４８ａ、４８ｂを外側面に備え、前記第２の側壁部４７は、第３，第４のカバー係合部４８ｃ，４８ｄを外側面に備えている。
【００２６】
前記カバー４は、前記対物レンズ２に対向する部分に開口部５０を備えたカバー本体部（上面部）５１と、前記カバー本体部５１の一側部に設けられた第１，第２の脚部５２，５３と、前記カバー本体部５１の他側部に設けられた第３，第４の脚部５４，５５と、を備えていて、前記第１，第２の脚部５２，５３と第３，第４の脚部５４，５５で、前記第１側壁部４６と第２の側壁部４７を挟着するようになっている。
【００２７】
前記第１〜第４の脚部５２〜５５は、前記第１〜第４のカバー係合部４８ａ〜４８ｄにそれぞれ係合する第１〜第４の被係合部５６ａ〜５６ｄを備えている。また、前記カバー本体部５１は、前記開口部５０の両側部に前記一対のマグネット４４，４５の上面を押圧する第１，第２の付勢部５７，５８を備えている。
【００２８】
前記カバー４は、ステンレススチール薄板等の金属板を所定の形状に打ち抜いた後に前記第１〜第４の脚部５２〜５５及び前記第１，第２の付勢部５７，５８を切り起こす（折り曲げる）ことにより形成され、或いは合成樹脂により一体的にモールド成型されている。
【００２９】
前記カバー４は、前述のような構成であって、前記第１，第２の脚部５２，５３と、前記第３，第４の脚部５４，５５の間に、前記第１，第２の側壁部４６，４７を挿入すれば、前述したように、前記第１〜第４の脚部５２〜５５に設けた被係合部５６ａ〜５６ｄと前記第１〜第４のカバー係合部４８ａ〜４８ｄとが係合すると共に、前記カバー本体部５１に設けた付勢部５７，５８が前記一対のマグネット４４，４５の上面を押圧する。
【００３０】
従って、図１１に示すように、前記カバー４は、前記付勢部５７，５８の前記マグネット４４，４５を押圧する際の反力で前記第１，第２の側壁部４６，４７に対して矢印Ａ方向に押し上げられて、前記第１〜第４のカバー係合部４８ａ〜４８ｄの下端部に、前記第１〜第４の被係合部５６ａ〜５６ｄの端部を圧着させて、前記カバー４を前記第１，第２の側壁部４６，４７にガタツキなく確実に取付けることを可能にするのである。
【００３１】
図１に示すように、前記ベース部４３は、一側部にガイド軸挿入孔４３ａを備え、他側部にガイド片４３ｂを備えている。そして、図１２に示すように、前記ベース部４３は、シャーシ６１にスライド可能に取付けられている。
【００３２】
前記シャーシ６１は、その略中央部に矩形状の開口部６２を備えていて、該開口部６２の一方の長片側の側部に沿ってベース部ガイド軸６３を備え、開口部６２の他方の長片側の側部に沿ってガイド片支持部６４を備えている。
【００３３】
前記シャーシ６１は、前記ベース部ガイド軸６３を前記ガイド軸挿入孔４３ａに挿入し、前記ガイド片支持部６４で前記ガイド片４３ｂを支持することにより、前記ベース部４３及び光学ピックアップ装置１を前記開口部６２内においてスライド可能に支持している。
【００３４】
前記ベース部４３は、駆動機構７１により前記ベース部ガイド軸６３及びガイド片支持部６４に沿ってスライド移動する。
【００３５】
前記駆動機構７１は、モータ７２と、該モータ７２の回転を前記ベース部４３の直進運動に変えるラックアンドピニオン７３或いはリードスクリュー等で構成されている。
【００３６】
また、前記シャーシ６１の矩形状の開口部６２の一方の短片側の枠辺上にはディスク回転駆動機構８１が配置されている。前記ディスク回転駆動機構８１は、ターンテーブル８２と、該ターンテーブル８２を回転させるモータ８３とを備えていて、前記ターンテーブル８２上にチャッキングされた光学ディスクをモータ８３で回転させるようになっている。
【００３７】
図１３に示すように、前記対物レンズ２の下方には光学ユニット９１が配置されている。前記光学ユニット９１は、レーザ光を発射する光源となる半導体レーザ９２と、回折格子（グレーティング）９３と、半透過ミラー（ビームスプリッタプレート）９４と、フォトダイオード等からなる光検出器９５等を備えている。これらの光学部品は、所定の光通路９６を有するハウジング９７内に所定の位置関係を持って配置されていて、レーザ光の通過が自在とされている。
【００３８】
前記半導体レーザ９２から発射されたレーザ光は、回折格子９３を通過して半透過ミラー９４により反射されて９０°曲げられ、対物レンズ２に入射される。この対物レンズ２に入射されたレーザ光は、光学ディスクＤのディスク基板側に照射され、このディスク基板を透過して信号記録面上に集光される。
【００３９】
前記光ディスクＤの信号記録面上に集光されたレーザ光は、この信号記録面に記録されている情報信号に応じて強度を変調されて反射される。この信号記録面で反射されたレーザ光は、対物レンズ２及び半透過ミラー９４を透過して、光検出器９５の受光面上に集光される。
【００４０】
そして、戻りレーザ光が、その光軸に対して４５°傾斜して配置された半透過ミラー９４を透過することにより非点収差を生じ、それぞれの光束が光検出器９５により受光される。この光検出器９５は、複数の部分に分割された受光面を有しており、各部分毎に独立に、受光した光量に応じたレベルの光検出信号を出力する。この光検出器９５より出力される複数の光検出信号間の演算処理を行うことにより、光学ディスクＤから読み出された情報の再生信号（ＲＦ信号）と、フォーカスエラー信号及びトラッキングエラー信号を得ることができる。そして、前記再生信号に基づいて、光学ディスクＤに記録されている情報の再生操作が行われるのである。
【００４１】
なお、図面に示す実施例では、前記アクチュエータ３に金属製のヨークを使用せずに、マグネット４４，４５を直接、合成樹脂製のベース部４３に接着剤等で取付ける所謂ヨークレスのマグネット直付けタイプのアクチュエータを使用した場合について説明したが、これはヨークレスタイプのアクチュエータがマグネット４４，４５を直接、合成樹脂製のベース部４３に接着剤等で取付けるという性質上、マグネット４４，４５がベース部４３から剥離し易い。そこで、マグネット４４，４５の上面を付勢部５７，５８で押さえることにより、マグネット４４，４５の剥離を防止するという効果を狙ったものであるが、ヨークを使用してマグネット４４，４５が剥離する虞の少ないヨーク使用のアクチュエータであっても、付勢部５７，５８でカバー４のガタつきを防止するという効果を有する。また、脚部やカバー係合部、被係合部の数はカバーの大きさ等に応じて任意に設定される。
【００４２】
【発明の効果】
本発明の光ディスク装置には次に述べるような効果がある。
（１）請求項１の光学ピックアップ装置は、カバーを取付けた時に発生する付勢部の反力でカバーのガタツキを防止することができる。そして、前記ガタツキによる異音の発生やカバーの脱落を防止することができる。
（２）請求項２の光学ピックアップ装置は、カバーの一部を切り起こして付勢部を形成したので付勢部を設けることによる部品点数の増加を防ぐことができる。（３）請求項３の光学ピックアップ装置は、マグネットで付勢部を吸着してカバーがガタツクのをより確実に防止することができる。
（４）請求項４の光学ピックアップ装置は、マグネットがベース部から剥離し易いという欠点を付勢部でマグネットの上面を押さえることにより補って、マグネットがベース部から剥離を防止することができる。
（５）請求項５の光情報記録及び／又は再生装置は、光学ピックアップ装置のカバーのガタツキを防止し、光学ピックアップ装置の移動時における前記カバーのガタツキによる異音の発生やカバーの脱落を防止し、光学ピックアップ装置の機能を十分に発揮させることができる。
【図面の簡単な説明】
【図１】光学ピックアップ装置の斜視図（カバーを取外した状態）。
【図２】光学ピックアップ装置の斜視図（カバーを取付けた状態）。
【図３】対物レンズの平面図。
【図４】対物レンズの平面図。
【図５】ボビンの平面図。
【図６】ボビンの底面図。
【図７】図６のＡ−Ａ断面図。
【図８】対物レンズのボス部をボビンのボス部挿入孔に挿入した状態の断面図。
【図９】対物レンズのボス部の先端に熱かしめ加工を施した状態の断面図。
【図１０】要部の平面図。
【図１１】要部の断面図。
【図１２】光情報記録及び／又は再生装置の斜視図。
【図１３】光学ユニットの説明図。
【図１４】従来の光学ピックアップ装置の斜視図（カバーを取外した状態）。
【図１５】従来の光学ピックアップ装置の斜視図（カバーを取付けた状態）。
【図１６】図１５のＡ−Ａ断面図。
【図１７】カバーを分離した状態の断面図。
【符号の説明】
１…光学ピックアップ装置、２…対物レンズ、３…アクチュエータ、４…カバー、４３…ベース部、４４，４５…マグネット、４８ａ〜４８ｄ…カバー係合部、５１…カバー本体部、５３〜５５…第１〜第４の脚部、５６ａ〜５６ｄ…被係合部、５７，５８…付勢部、７１…駆動機構、８１…ディスク回転駆動機構、２０１…光情報記録及び／又は再生装置。
【図１】
2004063031.tif 000003
【図２】
2004063031.tif 000004
【図３】
2004063031.tif 000005
【図４】
2004063031.tif 000006
【図５】
2004063031.tif 000007
【図６】
2004063031.tif 000008
【図７】
2004063031.tif 000009
【図８】
2004063031.tif 000010
【図９】
2004063031.tif 000011
【図１０】
2004063031.tif 000012
【図１１】
2004063031.tif 000013
【図１２】
2004063031.tif 000014
【図１３】
2004063031.tif 000015
【図１４】
2004063031.tif 000016
【図１５】
2004063031.tif 000017
【図１６】
2004063031.tif 000018
【図１７】
2004063031.tif 000019